(57)【要約】【課題】電力線通信を使用する電力線網環境内に、電力線通信帯域の周波数帯のノイズが混入するのを防止でできるようにする。【解決手段】電力を供給するための電力供給線を通る種々の電気信号のうち、ＰＬＣ通信帯域の電気信号を除去するフィルタを設け、電力供給を目的に敷設された電力線を用いて高周波帯域の通信を複数の機器間で行う際に、通信の妨げとなる高周波信号を削減することができるようにする。【選択図】  図６
2009302673.tif 000002
【特許請求の範囲】
【請求項１】
電力を供給するための電力供給線を通る種々の電気信号のうち、ＰＬＣ通信帯域の電気信号を除去するフィルタを備えたことを特徴とする電力線通信制御装置。
【請求項２】
少なくとも１つ以上の外部接続装置の電力供給線の電源プラグと接続するための電源接続部と、
前記電源接続部を介して接続された外部接続装置に電力を供給する電力供給線と、
前記電力供給線に介設され、前記外部接続装置と行う通信に利用される高周波帯の電気信号を遮断するフィルタと、
前記フィルタを使用して前記高周波帯の電気信号を遮断するか、使用せずに高周波帯を通すかを切り替える切り替え手段とを有することを特徴とする電力線通信制御装置。
【請求項３】
前記切り替え手段は、使用者が手動で切り替え可能に構成されていることを特徴とする請求項２に記載の電力線通信制御装置。
【請求項４】
前記電力供給線を介して前記外部接続装置と通信を行う電力線通信手段と、
前記外部接続装置が通信手段を有しているか、前記電力線通信手段により問い合わせる問い合わせ手段と、
前記問い合わせ手段による問い合わせに応じて、前記電源接続部に接続された外部接続装置から送信される通信機能有無情報に基づいて、前記外部接続装置が通信機能を有するか判断する通信機能判断手段と
前記通信機能判断手段の判断結果に基づき、前記切り替え手段の切り換え動作を制御する制御手段とを有することを特徴とする請求項２に記載の電力線通信制御装置。
【請求項５】
前記問い合わせ手段から送信された通信の許可または不許可の問い合わせに応じて、前記電源接続部に接続された前記外部接続装置が通信を許可しているのか、不許可なのかを判断する通信可否判断手段と、
前記通信可否判断手段の結果に基づき、前記切り替え手段の切り換え動作を制御する制御手段とを有することを特徴とする請求項４に記載の電力線通信制御装置。
【請求項６】
前記制御手段は、前記外部接続装置が前記電源接続部に物理的に接続している状態において、電源オフの休止状態から電源オンの動作状態になった際に、前記外部接続装置から送信される通信許可要求に対して、前記切り替え手段の切り換え動作を改めて制御することを特徴とする請求項４または５に記載の電力線通信制御装置。
【請求項７】
前記外部接続装置から送信される無線ID素子の識別子の認証を行う無線ID素子認証手段を有し、
前記制御手段は、前記電源接続部と前記外部接続装置とが接続された際に、前記無線ID素子認証手段の認証結果に応じて前記切り替え手段の切り換え動作を制御することを特徴とする請求項６に記載の電力線通信制御装置。
【請求項８】
前記切り替え手段のオン／オフ状態を表示する状態表示手段を有することを特徴とする請求項２〜７の何れか１項に記載の電力線通信制御装置。
【請求項９】
前記状態表示手段は、前記電源接続部に接続された外部接続装置からの応答に応じて、通信許可を示す色、通信拒否を示す色、応答なしを示す色の複数色で表示することを特徴とする請求項８に記載の電力線通信制御装置。
【請求項１０】
前記電源接続部は、電源プラグの差込口であることを特徴とする請求項２〜９の何れか１項に記載の電力線通信制御装置。
【請求項１１】
前記電源接続部は、壁面または床面に設けられる差込口であることを特徴とする請求項２〜９の何れか１項に記載の電力線通信制御装置。
【請求項１２】
電力を供給するための電力供給線を通る種々の電気信号のうち、ＰＬＣ通信帯域の電気信号をフィルタで除去するようにしたことを特徴とする電力線通信制御装置の制御方法。
【請求項１３】
少なくとも１つ以上の外部接続装置の電力供給線の電源プラグと接続するための電源接続部と、前記電源接続部を介して接続された外部接続装置に電力を供給する電力供給線と、前記電力供給線に介設され、前記外部接続装置と行う通信に利用される高周波帯の電気信号を遮断するフィルタとを有する電力線通信制御装置の制御方法であって、
前記フィルタを使用して前記高周波帯の電気信号を遮断するか、使用せずに高周波帯を通すかを切り替える切り替え工程を有することを特徴とする電力線通信制御装置の制御方法。
【請求項１４】
前記電力供給線を介して前記外部接続装置と通信手段で通信する電力線通信工程と、
前記外部接続装置が通信手段を有しているか、前記電力線通信工程において問い合わせる問い合わせ工程と、
前記問い合わせ工程において行われた問い合わせに応じて、前記電源接続部に接続された外部接続装置から送信される通信機能有無情報に基づいて、前記外部接続装置が通信機能を有するか判断する通信機能判断工程と
前記通信機能判断工程の判断結果に基づき、前記切り替え工程の切り換え動作を制御する制御工程とを有することを特徴とする請求項１３に記載の電力線通信制御装置の制御方法。
【請求項１５】
前記問い合わせ工程から送信された通信の許可または不許可の問い合わせに応じて、前記電源接続部に接続された前記外部接続装置が通信を許可しているのか、不許可なのかを判断する通信可否判断工程と、
前記通信可否判断工程の結果に基づき、前記切り替え工程の切り換え動作を制御する制御工程とを有することを特徴とする請求項１４に記載の電力線通信制御装置の制御方法。
【請求項１６】
前記制御工程は、前記外部接続装置が前記電源接続部に物理的に接続している状態において、電源オフの休止状態から電源オンの動作状態になった際に、前記外部接続装置から送信される通信許可要求に対して、前記切り替え工程の切り換え動作を改めて制御することを特徴とする請求項１４または１５に記載の電力線通信制御装置の制御方法。
【請求項１７】
前記外部接続装置から送信される無線ID素子の識別子の認証を行う無線ID素子認証工程を有し、
前記制御工程は、前記電源接続部と前記外部接続装置とが接続された際に、前記無線ID素子認証工程の認証結果に応じて前記切り替え工程の切り換え動作を制御することを特徴とする請求項１６に記載の電力線通信制御装置の制御方法。
【発明の詳細な説明】
【技術分野】
【０００１】
本発明は電力線通信制御装置及び電力線通信制御装置の制御方法に関し、特に、ＰＬＣ（電力線通信）を用いた電子機器用のテーブルタップと各機器と接続してネットワークを構築するために用いて好適な技術に関する。
【背景技術】
【０００２】
近年、複数台のコンピュータ機器を接続してローカルエリアネットワーク（ＬＡＮ）を構築して相互通信を行うネットワーク技術が急速に普及している。ローカルエリアネットワーク技術には、イーサネット（登録商標）や無線ＬＡＮなどが用いられることが一般的である。
【０００３】
また最近では、イーサネットのように専用配線を敷設する必要がなく、また無線ＬＡＮのように複雑な設定をする必要がない新しいネットワーク技術が注目されている。これは、電力線通信（PLC: Power Line Communication(電力線搬送通信)）と呼ばれている。電力線通信とは、１００Ｖ（５０／６０Hz）の既存の電力線に高周波信号を重畳し、電力線を伝送路として複数台のＰＬＣ対応機器間で双方向の通信を行う方式であり、以下の様な利点がある。
【０００４】
既存の電力引込線・コンセントがそのまま利用できるので、新規の配線工事が不要である。プラグをコンセントに差し込むだけで接続することができ、複雑な設定を必要とせずに、プラグ＆プレイを行うことが可能である。これらの利点より、ＰＬＣは将来のネットワークを実現する手段の１つとして注目されている。
【０００５】
以上のような利点のある電力線通信であるが、従来の商用電力線網のプラグをコンセントに差し込むだけで通信システムを構築することができるという利点を有しているが、以下のような問題点を有している。すなわち、セキュリティに関しての問題点や、通信方式の異なる２つ以上の電力線通信を用いた通信が行われた場合の同周波数帯での混信などといった問題点である。前者のセキュリティ問題に関しては、特許文献１などの方法によって解決策が示されている。また、後者の同周波数帯での混信に対しては特許文献２などに解決策が示されている。
【０００６】
【特許文献１】特開２００６−２７９６５０号公報
【特許文献２】特開２００７−８８６９５号公報
【発明の開示】
【発明が解決しようとする課題】
【０００７】
しかしながら、電力線は元々電力供給を目的に敷設されたものであり、通常の電力線には電力線通信に使用する高周波帯域の信号に対するノイズ対策などはなされていない。このため、電力線を使用する機器の中には、使用中に電力線通信網に高周波のノイズを混入させるものが多く存在している。
本発明は前述の問題点に鑑み、電力線通信を使用する電力線網環境内に、電力線通信帯域の周波数帯のノイズが混入するのを防止できるようにすることを目的としている。
【課題を解決するための手段】
【０００８】
本発明の電力線通信制御装置は、電力を供給するための電力供給線を通る種々の電気信号のうち、ＰＬＣ通信帯域の電気信号を除去するフィルタを備えたことを特徴とする。
また、本発明の電力線通信制御装置の他の特徴とするところは、少なくとも１つ以上の外部接続装置の電力供給線の電源プラグと接続するための電源接続部と、前記電源接続部を介して接続された外部接続装置に電力を供給する電力供給線と、前記電力供給線に介設され、前記外部接続装置と行う通信に利用される高周波帯の電気信号を遮断するフィルタと、前記フィルタを使用して前記高周波帯の電気信号を遮断するか、使用せずに高周波帯を通すかを切り替える切り替え手段とを有することを特徴とする。
【０００９】
本発明の電力線通信制御装置の制御方法は、電力を供給するための電力供給線を通る種々の電気信号のうち、ＰＬＣ通信帯域の電気信号をフィルタで除去するようにしたことを特徴とする。
また、本発明の電力線通信制御装置の制御方法の他の特徴とするところは、少なくとも１つ以上の外部接続装置の電力供給線の電源プラグと接続するための電源接続部と、前記電源接続部を介して接続された外部接続装置に電力を供給する電力供給線と、前記電力供給線に介設され、前記外部接続装置と行う通信に利用される高周波帯の電気信号を遮断するフィルタとを有する電力線通信制御装置の制御方法であって、前記フィルタを使用して前記高周波帯の電気信号を遮断するか、使用せずに高周波帯を通すかを切り替える切り替え工程を有することを特徴とする。
【発明の効果】
【００１０】
本発明によれば、電力線通信を使用する電力線網環境内に、電力線通信帯域の周波数帯のノイズが混入するのを防止するようにしたので、商用電源回線を使用して電力線通信を行うときに、通信を妨害する高周波信号を削減することができる。
【発明を実施するための最良の形態】
【００１１】
（第１の実施形態）
図１は、本発明の実施形態を示し、電力線通信制御装置を用いて行われる電力線通信システムの一例を示す図である。
図１において、１０１は不図示の電源プラグによって家庭内の電力線と接続し、外部の機器に対して電力を供給するテーブルタップである。そして、テーブルタップ１０１に対し、テレビ１０２、デジタルカメラ１０３及びデジタルビデオカメラ１０４が接続されている。それぞれの外部機器は電源プラグを介してテーブルタップ１０１と接続されており、ＰＬＣ通信の機能を備えている。
【００１２】
図６（ａ）は、図１におけるテーブルタップ１０１の内部の構成例を示したブロック図である。
６０１は電源プラグであり、５０Ｈｚまたは６０Ｈｚの商用電源周波数の交流電源を受電する機能と、外部ネットワークとデータ通信用の高周波信号を受ける機能を兼ねている。６０２は電力供給線を構成する電源ケーブルであり、電源プラグ差込口（図示せず）と電源プラグ６０１との間を繋ぐためのものである。
【００１３】
６０３は電源ケーブル６０２に介設されたフィルタであり、商用周波数（５０Ｈｚまたは６０Ｈｚ）の電力成分を通過させ、電力線通信用の電気信号であるキャリア信号成分を遮断するバンドパスフィルタである。６０４ａ〜６０４ｃは電力通信線である。電力通信線６０４ａ〜６０４ｃは、フィルタ６０３により高周波（ＰＬＣ通信帯域）が除去された電力成分と、電力線通信部（図示せず）より重畳され電力線通信用のキャリア信号成分とを電源プラグ差込口に伝送する。
【００１４】
６０５ａ〜６０５ｃは電源接続部を構成する電源プラグ差込口であり、これらの電源プラグ差込口６０５ａ〜６０５ｃに外部接続装置の電源プラグを挿入し、電力供給及び電力線通信用のデータを伝送する。６０６はフィルタの切り替え部を構成する切り替えスイッチであり、後述の如く、ユーザによるスイッチ操作に応じてフィルタ６０３の動作状態をオン状態とオフ状態との間で切り替えるために用いられる。
【００１５】
本実施形態では、切り替えスイッチ６０６は、電力成分と電力線通信用のキャリア信号を共に通過させるフィルタOFF状態と、電力成分のみを通過させて電力線通信用のキャリア信号は遮断するフィルタON状態とを切り替える。６０７はＬＥＤ発光部であり、フィルタ６０３をONにした状態の時には点灯する。
【００１６】
図２は、電力線通信制御装置を構成するテーブルタップ２０１の外観の一例を示す図である。
図２において、２０２a〜２０２ｆは電源プラグ差込口であり、外部接続装置の電源プラグを挿入して機器と接続する。電源プラグ差込口２０２a〜２０２ｆは、外部接続装置の電源プラグを通して、商用電源周波数（５０Hz又は６０Hz）の交流電源を供給すると共に、電力線通信用のデータ通信も行う。
【００１７】
２０３はフィルタのON、OFFを手動で切り替えるスイッチ、兼フィルタON、OFF点灯表示機である。このスイッチの切り替えで電力線通信信号のキャリア信号成分を通すか遮断するかを決定でき、フィルタのON、OFF状態をスイッチに付属しているLEDの点灯によって知ることができる。２０４は電源ケーブルであり、電源プラグ差込口と電源プラグとの間を繋ぐためのものである。
【００１８】
以上の構成により、本実施形態の電力線通信制御装置が実現され、使用者が手動でフィルタを切り替えることにより、電力線通信（PLC）網の中に通信に有害な高周波を発する機器からの高周波を遮断することができる。加えてLEDの点灯によって、フィルタONで通信帯域の高周波がカットされているか、フィルタOFFで高周波がカットされていないかを視認することができる。
【００１９】
なお、本実施形態では、テーブルタップ１０１を図６（ａ）の構成としたが、図６（ａ）の構成によればフィルタのON、OFFを個々の電源プラグ差込口に対して切り替えることができない。しかし、構成が容易であるため安価に作製することが可能である。そこで、テーブルタップ１０１を、図６（ｂ）の構成とすることも可能である。
【００２０】
すなわち、図６（ｂ）は、テーブルタップ１０１の他の構成例を示す図である。
図６（ｂ）において、６０３ａ〜６０３ｃはフィルタであり、商用周波数（５０Ｈｚまたは６０Ｈｚ）の電力成分を通過させ、電力線通信用のキャリア信号成分を遮断するためのものである。また、６０６ａ〜６０６ｃは切り替えスイッチである。
【００２１】
図６（ｂ）では、それぞれの電源プラグ差込口６０５ａ〜６０５ｃに対し、フィルタ６０３ａ〜６０３ｃをそれぞれ設け、これらのフィルタ６０３ａ〜６０３ｃを独立にオン、オフ切り替えするための不図示のスイッチを備えている。切り替えスイッチ６０６ａ〜６０６ｃは、これらスイッチの状態に応じて、各フィルタのオン、オフ状態を切り替える。図６（ａ）、（ｂ）において、６０７及び６０７ａ〜６０７ｃはＬＥＤ発光部であり、各フィルタをONにした状態の時には点灯する。
【００２２】
図３は、図６（ｂ）の電力線通信制御装置を構成しているテーブルタップ３０１の外観例を示す図である。
図３に示す様に、複数の差込口３０２ａ〜３０２ｆの近傍に、各差込口に対応するフィルタをオン、オフ切り替えするためのスイッチ３０３ａ〜３０３ｆが設けられている。ユーザは、これらのスイッチ３０３ａ〜３０３ｆを個々に操作することで、各差込口に接続された外部機器に対し、電力線通信用の帯域を遮断するフィルタのオン、オフを切り替えることができる。
【００２３】
（第２の実施形態）
図７は、本発明の第２の実施形態における電力線通信制御装置の構成例を示したブロック図である。
図７において、７０１〜７０５は第１の実施形態における６０１〜６０５と同様であるので説明は省略する。
【００２４】
図７において、７０６は制御部である。制御部７０６は、フィルタ７０３ａ〜７０３ｃに対してのON、OFF制御、LEDに対しての発光制御、受信データのパケット解析を行う。また、バッファリングデータの転送制御、フロー制御、輻輳制御等の役割も担っている。また、電源プラグ差込口７０５ａ〜７０５ｃに接続された外部接続装置が通信を許可しているのか、不許可なのかを判断する通信可否判断を行う。
【００２５】
７０７は記録部であり、電源プラグ差込口７０５ａ〜７０５ｃを通して接続装置からの受信データを一時的にバッファリングする。また、制御部７０６のためのプログラムを格納する場所であり、制御部７０６のための一次記憶の機能も担っている。
【００２６】
７０８ａ〜７０８ｃは電力線通信部であり、電力線へデータ通信用のキャリア信号成分の重畳及び分離を行う。電力線通信部７０８ａ〜７０８ｃは、電力線７０４ａ〜７０４ｃから商用周波数の電力成分を遮断し、電力線通信用のキャリア信号成分だけを通過させることにより、モデム７０９ａ〜７０９ｃに対して通信用キャリア信号成分のみを伝送する。
【００２７】
モデム７０９ａ〜７０９ｃは、電力線通信部７０８a〜７０８ｃにより電力線７０４a〜７０４ｃ上から分離された電力線通信用のキャリア信号成分をデジタルデータに変換する。また、デジタルデータを電力線通信用のキャリア信号成分に変換する。電力線通信に用いられる変調方式は、ＯＦＤＭ（Orthogonal Frequency Division Multiplexing : 直交周波数分割多重）方式やスペクトラム拡散方式がある。
【００２８】
ＯＦＤＭとは、多数の搬送波を使用し、変調する信号波の位相が隣り合う搬送波間で直交するようにし、搬送波の帯域を一部重ね合わせて周波数帯域を有効利用する方式であり、高速にデータ転送をすることができるというメリットがる。スペクトラム拡散方式とは、デジタル信号を拡散符号と呼ばれる信号によって元の信号より広い帯域に拡散させた上で送信し、受信側で同じ拡散符号によって元のデジタル信号を復元することであり、ノイズに強いというメリットがある。
【００２９】
７１０はセレクタであり、制御部７０６の制御の下で、モデム７０９a〜７０９ｃを介してのデータ送受信の転送経路を切り替える役割を果たすものである。７１１はプラグ接続検知部であり、電源プラグ差込口７０５ａ〜７０５ｃに電源プラグが差し込まれたことを検知して制御部７０６に知らせるためのものである。
【００３０】
７１２ａ〜７１２ｃはＬＥＤ発光部であり、フィルタのON、OFF、及び接続機器（外部接続装置）との認証状態等をLEDの発色によって使用者に報知するためのものである。
【００３１】
図４は、本発明の第２の実施形態における電力線通信制御装置を構成するテーブルタップ４０１の外観例を示す図である。
図４において、４０２a〜４０２ｆ、及び４０４は第１の実施形態の図２における２０２ａ〜２０２ｆ、及び２０４と同様であるので説明は省略する。４０３ａ〜４０３ｆはLED発光部であり、フィルタのON、OFF、及び接続機器との認証状態等をLEDの発色によって示す。
【００３２】
４０５ａ〜４０５ｃは接続機器からの電源ケーブルであり、図４ではそれぞれ電源プラグを介して４０２ａ〜４０２ｃに接続されている。図４においては説明の便宜上、電源ケーブル４０５ａ〜４０５ｃの端にある電源プラグ部を描画していない。
【００３３】
次に、図９のフローチャートを参照しながら本実施形態の電力線通信制御装置の制御手順の一例を説明する。
まず、ステップＳ９０１において電源プラグ差込口７０５ａ〜７０５ｃに電源プラグが差し込まれたか否かをプラグ接続検知部７１１が検知する。ここで、電源プラグが差し込まれたことをプラグ接続検知部７１１が検知すると、ステップＳ９０２に進み対応する検知した電源差込プラグに対応するフィルタに対してフィルタONの命令を送信する。このことにより、まず接続機器よりPLC回線網に対する無用な高周波成分の混入を未然に防ぐ。
【００３４】
次に、ステップ９０３において、接続された機器に対して通信を許可するか、不許可にするかの問い合わせのためのパケットを送信し、機器からの返答パケットを待つという動作に入る（ステップＳ９０４）。
【００３５】
ここで、本実施形態においては、通信に使用するプロトコルは各機器間で同じ方式が採用されてさえいれば何でもよい。本実施形態においては、TCP/IPの上に通知用のプロトコルが規定されているとする。このプロトコルは、図１１に示されるように、要求と応答のシンプルな構成であり、両方とも同じパケット構成を使用するものとする。
【００３６】
図１２は、通知プロトコルのパケット構成例を示す図であり、TCP/IPのヘッダ部１２０１、本プロトコルを識別するためのUID部１２０２、要求、あるいは応答の種別を表す、コマンド部１２０３から構成される。
【００３７】
図１３は、本プロトコルで使用される要求、返答のコマンド例であり、0x00000001が通信可否の返答を求める要求通知であることを示している。接続機器がこのプロトコルを解し、通信を可能にすべく「通信を許可」とする場合は、この要求通知に対して「0x00000002」を返すことで応答する。何らかの理由で通信を行いたくない場合は「通信を拒否」とする場合とし、要求通知に対して「0x00000003」を返すことで応答する。
【００３８】
図９のフローチャートの説明に戻る。ステップＳ９０４において一定時間の間、機器からの応答を待ち、「通信を許可」の応答があった場合、制御部７０６がフィルタをOFFに切り替え（ステップＳ９０５）、PLC回線網と接続機器との通信を可能にする。次に、ＬＥＤ発光部に対し青色の発光を行わせる（ステップＳ９０６）。
【００３９】
一方、ステップ９０４において「通信を拒否」の応答があった場合、フィルタをONの状態のままとし（ステップＳ９０７）通信を不可能な状態を保つ。次に、ＬＥＤ発光部に対して黄色の発光を行わせる（ステップＳ９０８）。ステップＳ９０６、ステップＳ９０８を経た場合、そのまま終了となる。
【００４０】
一方、ステップ９０４において、一定時間経過してもパケットによる応答がない場合、フィルタをONの状態を保ち（ステップＳ９０９）、次いで、ＬＥＤ発光部に対し赤色の発光を行わせる（ステップＳ９１０）。その後、接続機器からのネットワークに接続するための問い合わせがないかをステップＳ９１１において監視し、問い合わせがあった場合、ステップＳ９１２に移行する。
【００４１】
この場合の問い合わせとは、たとえばARP（Address Resolution Protocol）などのパケットを想定することができる。ARPなど、ネットワーク利用機器が通信を行うときに問い合わせを行うコマンドを一般的に検知するよう設定し、本実施形態の電力線通信制御装置で検知した場合、ステップＳ９１２に移行するといった具合である。ステップＳ９１２〜ステップＳ９１７は、ステップＳ９０３〜ステップＳ９０８と同様となるので詳細は省略する。以上で図９のフローチャートによる説明を終える。
【００４２】
電源プラグを、電源プラグ差込口７０５ａ〜７０５ｃに差し込んだ場合にはこのような処理を行うが、差し込まれた状態から引きぬかれた場合は、次回の接続時にノイズ混入の危険性を未然に避けるため、あらかじめフィルタをOFFの状態にする。
【００４３】
また、PLC回線網を通じての通信が可能な接続機器自身が、自らの電源を落とすときには、図１３におけるシャットダウン通知のパケットを送信する。第２の実施形態における電力線通信制御装置が接続機器よりシャットダウン通知のパケットを受信した場合、フィルタをONにし、ＬＥＤ発光部を赤色の点灯に変更する。
【００４４】
以上に述べた構成により、本実施形態においては、電源プラグ差込口７０５ａ〜７０５ｃに接続された外部接続装置から送信される通信機能有無情報に基づいて、外部接続装置が通信機能を有するか判断する通信機能判断を行う。そして、判断結果に基づいて、フィルタのオン／オフ状態表示を行い、オン／オフ状態の制御を行うようにしたので、通信機能を持たない電気使用機器からPLC回線網へ高周波ノイズが混入するのを未然に防ぐことができる。また、電力線通信（PLC）回線での通信機能を持つ接続機器が、本実施形態の電力線通信制御装置に接続機器本体の電源を落とした状態で電源プラグを差したとしても、その後、接続機器本体の電源を入れ通信要求をした後、フィルタが自動でOFF状態となる。
【００４５】
また、接続機器が通信機能を持つか、持たないか、または持っているが通信を拒否しているかという状態をLEDの点灯によって簡便に知ることができる。本実施形態では通信機能を持ち通信可能状態は青色、通信機能を持ち通信拒否状態は黄色、通信機能を持たないまたは機器の初めから通信機能を持っていても電源が落ちている場合は赤色ということで視認できる。
【００４６】
（第３の実施形態）
図８は、本発明の第３の実施形態における電力線通信制御装置の構成例を示したブロック図である。
図８において、８０１〜８０８及び８１０ａ〜８１０ｃは第２の実施形態の図７のブロック図の該当部分と同様であるので詳細は省略する。
【００４７】
８０９は無線ＩＤ認証部であり、プラグ接続検知部において電源プラグの挿入を検知したときに、電源プラグ差込口８０５ａ〜８０５ｃに差し込まれた電源プラグに付属の無線ＩＤに対する認証を制御部８０６の要求に応じて行い、認証結果を制御部８０６に送る。
【００４８】
次に、図５は本実施形態における電力線通信制御装置を構成するテーブルタップ５０１の外観の一例を示す図である。
図５において、５０２ａ〜５０２ｆ、及び５０６は、第１の実施形態の図２における２０２ａ〜２０２ｆ、及び２０４と同様であるので説明は省略する。
５０３は、接続機器からの電源ケーブル５０５と第３の実施形態における電力線通信制御装置とを接続する電源プラグ部であり、無線ＩＤ素子を内部に有している。５０４は無線ＩＤ認証部であり、電源プラグ５０３内部に配設されている無線ＩＤ素子に対する認証処理を行う。５０７ａ〜５０７ｆはＬＥＤ発光部であり、フィルタ８０３ａ〜８０３ｃのON、OFF状態を点灯表示するためのものである。
【００４９】
次に、図１０のフローチャートを参照しながら、第３の実施形態における電力線通信制御装置の処理手順の一例を説明する。
まず、電源プラグ差込口８０５ａ〜８０５ｃに電源プラグが接続されたかどうかをステップＳ１００１にてプラグ接続検知部８０８が検知する。ステップＳ１００１の検知の結果、電源プラグの挿入が検知された場合、電源プラグが接続された電源プラグ差込口に該当するフィルタをまずON状態にする（ステップＳ１００２）。次に、ステップＳ１００３に進み、無線ID認証を行う。
【００５０】
電源プラグ差込口に接続された電源プラグに無線ID素子があり、かつ事前に認証登録処理をされている。これにより、本実施形態においては、外部接続装置から送信される無線ID素子の識別子に基づいて、無線ID素子認証を行う。そして、認証がなされた場合にはステップＳ１００４に進み、フィルタをOFF状態に切り替える。次に、対応するLED発光部を消灯状態にする（ステップＳ１００５）。ここで、事前に認証登録をした無線ID素子の情報が記録部８０７に保持されているものとする。
【００５１】
一方、ステップ１００３において行われた無線ID認証の結果、接続された電源プラグが無線ID素子を有していない場合、または認証が不可能であった場合にはステップＳ１００６に進み、フィルタをONの状態に保持する。次に、ステップＳ１００７に進み、対応するLED発光部を点灯状態にする（ステップＳ１００７）。
【００５２】
また、制御部８０６は、外部接続装置が電源プラグ差込口８０５ａ〜８０５ｃに物理的に接続している状態において、電源オフの休止状態から電源オンの動作状態になった際には、外部接続装置から送信される通信許可要求に対して、通信の可否を改めて制御する。
【００５３】
以上に述べた構成により、通信機能を持たない電気使用機器から発生する高周波ノイズがPLC回線網へ混入するのを未然に防ぐことができる。また、接続機器が認証済みか否かをLEDの点灯状態によって簡便に知ることができる。
【００５４】
以上、本発明の第１の実施形態〜第３の実施形態により、電力線通信（PLC：Power Line Communication）網に通信に対して障害となる高周波の混入を未然に防ぎ、効率よく通信を行うことができる。
【００５５】
また、本発明の他の特徴によれば、認証された外部接続装置に対して電力線通信を許可するようにしたので、通信可能な外部接続装置であっても認証が不可能であった場合には電力線通信を行うことができないようにした。これにより、情報セキュリティ面での安全性も高めることができる。
【００５６】
また、前述した実施形態においては、ＬＥＤ発光部８１０ａ〜８１０ｃは、電源プラグ差込口８０５ａ〜８０５ｃに接続された外部接続装置からの応答に応じて、通信許可を示す色、通信拒否を示す色、応答なしを示す色の複数色で表示するようにした。この他に、例えば、点滅させるなどに通信状態を報知するようにしてもよい。
【００５７】
また、前述した実施形態においては、電力線通信制御装置をテーブルタップ１０１、２０１，３０１，４０１，５０１に設けた例を示したが、電源プラグの差し込み口であれば、テーブルタップ１０１、２０１，３０１，４０１，５０１に限定されない。例えば、壁面または床面に設けられる差込口であってもよい。
【００５８】
（本発明に係る他の実施の形態）
前述した本発明の実施の形態における電力線通信制御装置を構成する各手段は、コンピュータのＲＡＭやＲＯＭなどに記憶されたプログラムが動作することによって実現できる。このプログラム及び前記プログラムを記録したコンピュータ読み取り可能な記録媒体は本発明に含まれる。
【００５９】
また、本発明は、例えば、システム、装置、方法、プログラムもしくは記憶媒体等としての実施の形態も可能であり、具体的には、複数の機器から構成されるシステムに適用してもよいし、また、一つの機器からなる装置に適用してもよい。
【００６０】
なお、本発明は、前述した電力線通信制御方法における各工程を実行するソフトウェアのプログラム（実施の形態では図９、図１０に示すフローチャートに対応したプログラム）を、システムあるいは装置に直接、あるいは遠隔から供給する。そして、そのシステムあるいは装置のコンピュータが前記供給されたプログラムコードを読み出して実行することによっても達成される場合を含む。
【００６１】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【００６２】
その場合、プログラムの機能を有していれば、オブジェクトコード、インタプリタにより実行されるプログラム、ＯＳに供給するスクリプトデータ等の形態であってもよい。
【００６３】
プログラムを供給するための記録媒体としては種々の記録媒体を使用することができる。例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【００６４】
その他、プログラムの供給方法としては、クライアントコンピュータのブラウザを用いてインターネットのホームページに接続する。そして、前記ホームページから本発明のコンピュータプログラムそのもの、もしくは圧縮され自動インストール機能を含むファイルをハードディスク等の記録媒体にダウンロードすることによっても供給できる。
【００６５】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００６６】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、その鍵情報を使用することにより暗号化されたプログラムを実行してコンピュータにインストールさせて実現することも可能である。
【００６７】
また、コンピュータが、読み出したプログラムを実行することによって、前述した実施の形態の機能が実現される他、コンピュータ上で稼動しているＯＳなどが、実際の処理の一部または全部を行うことによっても前述した実施の形態の機能が実現され得る。
【００６８】
さらに、記録媒体から読み出されたプログラムが、コンピュータに挿入された機能拡張ボードやコンピュータに接続された機能拡張ユニットに備わるメモリに書き込まれる。その後、そのプログラムの指示に基づき、その機能拡張ボードや機能拡張ユニットに備わるＣＰＵなどが実際の処理の一部または全部を行い、その処理によっても前述した実施の形態の機能が実現される。
【図面の簡単な説明】
【００６９】
【図１】本発明の第１の実施形態を示し、電力線通信制御装置を用いて行われる電力線通信システムの一例を示す図である。
【図２】本発明の第１の実施形態を示し、電力線通信制御装置を構成するテーブルタップの外観の一例を示す図である。
【図３】本発明の第１の実施形態を示し、電力線通信制御装置を構成するテーブルタップの外観の他の例を示す図である。
【図４】本発明の第２の実施形態を示し、電力線通信制御装置を構成するテーブルタップの外観の一例を示す図である。
【図５】本発明の第３の実施形態を示し、電力線通信制御装置を構成するテーブルタップの外観の一例を示す図である。
【図６】（ａ）は、本発明の第１の実施形態を示し、図１におけるテーブルタップの内部の構成例を示したブロック図であり、（ｂ）は図１におけるテーブルタップの内部構成の他の例を示したブロック図である。
【図７】本発明の第２の実施形態を示し、電力線通信制御装置の構成例を示したブロック図である。
【図８】本発明の第３の実施形態を示し、電力線通信制御装置の構成例を示したブロック図である。
【図９】本発明の第２の実施形態を示し、電力線通信制御装置の制御手順の一例を説明するフローチャートである。
【図１０】本発明の第３の実施形態を示し、電力線通信制御装置の制御手順の一例を説明するフローチャートである。
【図１１】実施形態の電力線通信で用いられるプロトコルの一例を説明する図である。
【図１２】通知プロトコルのパケット構成例を示す図である。
【図１３】実施形態の電力線通信で用いられるプロトコルで使用される要求、返答のコマンド例を示す図である。
【符号の説明】
【００７０】
１０１  テーブルタップ
１０２  テレビ
１０３  デジタルカメラ
１０４  デジタルビデオカメラ
６０１  電源プラグ
６０２  電源ケーブル
６０３  フィルタ
６０４ａ〜６０４ｃ  電力通信線
６０５ａ〜６０５ｃ  電源プラグ差込口
６０６  切り替えスイッチ
６０７  ＬＥＤ発光部
【図１】
2009302673.tif 000003
【図２】
2009302673.tif 000004
【図３】
2009302673.tif 000005
【図４】
2009302673.tif 000006
【図５】
2009302673.tif 000007
【図６】
2009302673.tif 000008
【図７】
2009302673.tif 000009
【図８】
2009302673.tif 000010
【図９】
2009302673.tif 000011
【図１０】
2009302673.tif 000012
【図１１】
2009302673.tif 000013
【図１２】
2009302673.tif 000014
【図１３】
2009302673.tif 000015